(57)【要約】【課題】燃焼時に有毒ガスが発生せず、容易に廃棄処分することができる発泡材及びその製造方法を提供することである。【解決手段】植物を焼成することによって得られる炭化植物８０重量％〜９０重量％、重曹又は窒素１重量％以上、結合剤１重量％〜５重量％、及び水４重量％以上から成る混合材料と、所定量の酢酸とを含むことを特徴とする炭化植物を主成分とする発泡材。酢酸の所定量は、好ましくは、混合材料の量に対して０．１重量％〜１５重量％である。【選択図】　図１
2004026531.tif 000002
【特許請求の範囲】
【請求項１】
植物を焼成することによって得られる炭化植物８０重量％〜９０重量％、重曹又は窒素化合物１重量％以上、結合剤１重量％〜５重量％、及び水４重量％以上から成る混合材料と、
所定量の酢酸と、
を含むことを特徴とする炭化植物を主成分とする発泡材。
【請求項２】
前記酢酸の前記所定量が、前記混合材料の量に対して、０．１重量％〜１５重量％であることを特徴とする請求項１に記載の炭化植物を主成分とする発泡材。
【請求項３】
前記酢酸の前記所定量が、前記混合材料の量に対して、０．１重量％〜０．３重量％であることを特徴とする請求項２に記載の炭化植物を主成分とする発泡材。
【請求項４】
前記炭化植物が、粒径０．０３ｍｍ以上の粉末となるように破砕されたものであることを特徴とする請求項１から３までいずれか１項に記載の炭化植物を主成分とする発泡材。
【請求項５】
前記植物の焼成温度が、６０°Ｃ以上であることを特徴とする請求項１から４までいずれか１項に記載の炭化植物を主成分とする発泡材。
【請求項６】
前記結合剤が、粘土、にかわ液、又はポリマーであることを特徴とする請求項１から５までいずれか１項に記載の炭化植物を主成分とする発泡材。
【請求項７】
植物を焼成することによって得られる炭化植物８０重量％〜９０重量％と、重曹又は窒素化合物１重量％以上と、結合剤１重量％〜５重量％と、水４重量％以上から成る混合材料を準備する段階と、
前記混合材料に所定量の酢酸を混入する段階と、
を含むことを特徴とする炭化植物を主成分とする発泡材の製造方法。
【請求項８】
前記混合材料を準備する段階が、前記炭化植物を粒径０．０３ｍｍ以上の粉末となるように破砕する段階を含むことを特徴とする請求項７に記載の炭化植物を主成分とする発泡材の製造方法。
【請求項９】
前記酢酸の前記所定量が、前記混合材料の量に対して、０．１重量％〜１５重量％であることを特徴とする請求項７又は８に記載の炭化植物を主成分とする発泡材の製造方法。
【請求項１０】
前記酢酸の前記所定量が、前記混合材料の量に対して、０．１重量％〜０．３重量％であることを特徴とする請求項７から９までのいずれか１項に記載の炭化植物を主成分とする発泡材の製造方法。
【請求項１１】
前記植物の焼成温度が、６０°Ｃ以上であることを特徴とする請求項７から１０までいずれか１項に記載の炭化植物を主成分とする発泡材の製造方法。
【請求項１２】
前記結合剤が、粘土、にかわ液、又はポリマーであることを特徴とする請求項７から１１までいずれか１項に記載の炭化植物を主成分とする発泡材の製造方法。
【発明の詳細な説明】
【０００１】
【発明の属する技術分野】
本発明は一般に、炭化植物を原料とする発泡材及びその製造方法に関する。ここで、本明細書において使用される語「炭化植物」とは、木、草、籾殻、そば殻等の植物を焼成して得られる炭化物をいう。
【０００２】
【従来の技術】
従来、断熱材料として用いられる発泡材の多くは、石油化学系の材料から製造されている。
【０００３】
【発明が解決しようとする課題】
しかしながら、このような石油化学系の材料から製造された発泡材は、燃焼すると有毒ガスが発生するため、火災時に重大な被害を発生させるおそれがある。。また、このような発泡材は、生分解しないため、廃棄物として処分する場合に問題が生じ、リサイクルをしようとすると、コストがかかり過ぎるという課題を有している。
【０００４】
したがって、本発明は、燃焼時に有毒ガスが発生せず、容易に廃棄処分することができる発泡材及びその製造方法を提供することを目的としている。
【０００５】
【課題を解決するための手段】
本願請求項１に記載の発泡材は、植物を焼成することによって得られる炭化植物８０重量％〜９０重量％、重曹又は窒素化合物１重量％以上、結合剤１重量％〜５重量％、及び水４重量％以上から成る混合材料と、所定量の酢酸とを含むことを特徴とするものである。
【０００６】
本願請求項２に記載の発泡材は、前記請求項１の発泡材において、前記酢酸の前記所定量が、前記混合材料の量に対して、０．１重量％〜１５重量％であることを特徴とするものである。
【０００７】
本願請求項３に記載の発泡材は、前記請求項２の発泡材において、前記酢酸の前記所定量が、前記混合材料の量に対して、０．１重量％〜０．３重量％であることを特徴とするものである。
【０００８】
本願請求項４に記載の発泡材は、前記請求項１から３までのいずれか１項の発泡材において、前記炭化植物が、粒径０．０３ｍｍ以上の粉末となるように破砕されたものであることを特徴とするものである。
【０００９】
本願請求項５に記載の発泡材は、前記請求項１から４までのいずれか１項の発泡材において、前記植物の焼成温度が、６０°Ｃ以上であることを特徴とするものである。
【００１０】
本願請求項６に記載の発泡材は、前記請求項１から５までのいずれか１項の発泡材において、前記結合剤が、粘土、にかわ液、又はポリマーであることを特徴とするものである。
【００１１】
本願請求項７に記載の発泡材の製造方法は、植物を焼成することによって得られる炭化植物８０重量％〜９０重量％と、重曹又は窒素化合物１重量％以上と、結合剤１重量％〜５重量％と、水４重量％以上から成る混合材料を準備する段階と、前記混合材料に所定量の酢酸を混入する段階とを含むことを特徴とするものである。
【００１２】
本願請求項８に記載の発泡材の製造方法は、前記請求項７の製造方法において、前記混合材料を準備する段階が、前記炭化植物を粒径０．０３ｍｍ以上の粉末となるように破砕する段階を含むことを特徴とするものである。
【００１３】
本願請求項９に記載の発泡材の製造方法は、前記請求項７又は８の製造方法において、前記酢酸の前記所定量が、前記混合材料の量に対して、０．１重量％〜１５重量％であることを特徴とするものである。
【００１４】
本願請求項１０に記載の発泡材の製造方法は、前記請求項７から９までのいずれか１項の製造方法において、前記酢酸の前記所定量が、前記混合材料の量に対して、０．１重量％〜０．３重量％であることを特徴とするものである。
【００１５】
本願請求項１１に記載の発泡材の製造方法は、前記請求項７から１０までのいずれか１項の製造方法において、前記植物の焼成温度が、６０°Ｃ以上であることを特徴とするものである。
【００１６】
本願請求項１２に記載の発泡材の製造方法は、前記請求項７から１１までのいずれか１項の製造方法において、前記結合剤が、粘土、にかわ液、又はポリマーであることを特徴とするものである。
【００１７】
【発明の実施の形態】
次に図面を参照して、本発明の好ましい実施の形態に係る発泡材の製造方法について詳細に説明する。本発明の発泡材の主要成分は、炭化植物である。炭化植物とは、上述のように、植物を焼成することによって得られる炭化物である。炭化植物の基となる植物には、木、草等のあらゆる植物の他、籾殻、そば殻、木クズ、解体材等も含まれる。
【００１８】
炭化植物の好ましい含有量は、約８０重量％〜約９０重量％である。また、炭化植物は、後述するように吹きつけ作業に都合の良いように、粒径が約０．０３ｍｍ以上の粉末に粉砕される。なお、植物の焼成温度は、６０°Ｃ以上が好ましい。これは、植物に付着した菌を殺すためである。
【００１９】
本発明の発泡材の二次成分は、重曹又は窒素化合物と、結合剤と、水である。重曹又は窒素化合物の好ましい含有量は、約１重量％以上であり、結合剤の好ましい含有量は、約１重量％〜約５重量％であり、水の好ましい含有量は、約４重量％以上である。結合剤としては、例えば、粘土、にかわ液、ポリマー等があげられる。
【００２０】
上述の主要成分と二次成分とを混合した混合材料に、所定量の酢酸を混入することによって、発泡材が形成される。酢酸の混入量は、混合材料の量に対して、好ましくは約０．１重量％〜約１５重量％であり、最も好ましくは約０．１重量％〜約０．３重量％である。
【００２１】
酢酸の混入方法としては、図１に示されるように、混合材料に酢酸を混入したものをノズルから噴出させて壁等に吹きつける方法、或いは、所定の型枠内に混合材料を注入しておき、それに酢酸を混入する方法等、使用用途に応じた方法を採用することができる。
【００２２】
以上のようにして製造された発泡材は、壁用の断熱材、床用の断熱材及び浴槽の断熱材等の建築物用の断熱材、食品等の移送用コンテナに用いられる断熱材、冷蔵庫、車両の内装用断熱材、自動販売機用の断熱材の他、電気器具のシールド材や吸音材として使用することができる。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【００２４】
例えば、発泡材の強度を高めるため、上述のようにして形成された発泡材に石粉等を混入してもよい。
【００２５】
【発明の効果】
本発明の発泡材は、主要成分が炭化物であるので、火災時等に有毒ガスが発生せず、廃棄物としての処分も容易であり、人体に無害であって周囲環境に悪影響を及ぼさない。また、炭素によるイオン作用のため、防虫効果が期待できるとともに、電磁波の抑制効果も期待できる。さらに、食品等から出るエチレンガスを吸着するので、冷蔵庫等の材料としても使用できる。
【図面の簡単な説明】
【図１】ノズルを使用して本発明の発泡材を形成する状態を示した説明図である。
【図１】
2004026531.tif 000003